(57)【要約】【課題】外壁への水の到達を抑制可能な水切り部材および窓を提供すること。【解決手段】窓の下隅部９に取り付けられる水切り部材２０に、枠体３の側方に配置される第１の水切り部２１と、枠体３の下方に配置される第２の水切り部４１とを設けた。第２の水受け面部４２における第１の水切り部２１と反対側の側縁に、第２の水受け面部４２よりも上方に突出する第２の突出壁部５６を設けた。このため、第１の水切り部２１の第１の水受け面部２４により、枠体３側方の外壁２を流れる水を外壁２から離間する方向に導くことができる。また、枠体３の枠下面１１を左右方向へ水が伝って流れようとするが、その流れを第２の突出壁部５６で止めるとともに、第２の水受け面部４２で外壁２から離間する方向に導くことができる。【選択図】図４
2010007409.tif 000002
【特許請求の範囲】
【請求項１】
外壁から突出する構造物の下隅部に取り付けられる水切り部材であって、
前記外壁と密着して前記構造物の側方に配置され、少なくとも一部が前記外壁から見込み方向屋外側に向けて下降傾斜して延びて水を外壁から離間する方向に導く第１の水受け面部を有する第１の水切り部と、
この第１の水切り部と一体的に設けられて前記構造物の下方に配置され、少なくとも一部が前記外壁から見込み方向屋外側に向けて下降傾斜して延びて水を外壁から離間する方向に導く第２の水受け面部を有する第２の水切り部と、
前記下隅部への取り付け時に、前記第２の水受け面部よりも上方に突出して前記構造物の下面に直接または止水部材を介して当接する壁部と、を備えており、
前記壁部は、前記第２の水受け面部における前記第１の水切り部と反対側の側縁に少なくとも設けられている水切り部材。
【請求項２】
前記第２の水受け面部における前記外壁側の側縁に背壁部が設けられ、前記壁部と背壁部は連続して設けられている請求項１に記載の水切り部材。
【請求項３】
前記構造物は、左右縦枠および上下枠を備える開口枠を有する建具であり、
前記第２の水受け面部は、見付け方向の寸法が前記縦枠において最も屋外側に位置する見付け面の見付け寸法以上であり、
前記壁部は、上端の見込み寸法が前記下枠の下面の外壁からの突出寸法以上であり、当該壁部の上端が前記開口枠の下面に直接または止水部材を介して当接している請求項１または請求項２に記載の水切り部材。
【請求項４】
前記第２の水切り部には、前記第２の水受け面部の一部から上方に突出する突出部と、この突出部の突出先端と前記第２の水切り部の下面とを連通する連通孔と、が設けられ、
前記連通孔に挿通される固定部材により前記下隅部に取り付けられる請求項１から請求項３のいずれかに記載の水切り部材。
【請求項５】
建物の外壁から突出して取り付けられる構造物を備え、
前記構造物の下隅部に請求項１から請求項４のいずれかに記載の水切り部材が取り付けられた建具。
【発明の詳細な説明】
【技術分野】
【０００１】
本発明は、水切り部材および建具に関する。
【背景技術】
【０００２】
従来、出窓などの外壁から突出する構造物に取り付けられ、雨などの汚水が外壁に到達するのを防ぐ水切り部材が知られている（例えば、特許文献１参照）。
この特許文献１に記載のものは、取付面を有する取付部と、この取付部に連続して設けられた水受け部とを備えており、取付面を出窓の底面に当接させて釘打ちなどで取り付ける構成が採られている。
【０００３】
【特許文献１】特許第３４８３６５０号公報
【発明の開示】
【発明が解決しようとする課題】
【０００４】
しかしながら、特許文献１に記載された従来の水切り部材では、出窓の側方の水は排水できるが、出窓の屋外側の正面角部を流れる水に関しては、そのまま出窓の下面を見込み方向屋内側に向けて伝うため外壁から離間する方向に排水できず、外壁を汚すおそれがある。
本発明の目的は、外壁への水の到達を抑制可能な水切り部材および建具を提供することにある。
【課題を解決するための手段】
【０００５】
本発明の水切り部材は、外壁から突出する構造物の下隅部に取り付けられる水切り部材であって、前記外壁と密着して前記構造物の側方に配置され、少なくとも一部が前記外壁から見込み方向屋外側に向けて下降傾斜して延びて水を外壁から離間する方向に導く第１の水受け面部を有する第１の水切り部と、この第１の水切り部と一体的に設けられて前記構造物の下方に配置され、少なくとも一部が前記外壁から見込み方向屋外側に向けて下降傾斜して延びて水を外壁から離間する方向に導く第２の水受け面部を有する第２の水切り部と、前記下隅部への取り付け時に、前記第２の水受け面部よりも上方に突出して前記構造物の下面に直接または止水部材を介して当接する壁部と、を備えており、前記壁部は、前記第２の水受け面部における前記第１の水切り部と反対側の側縁に少なくとも設けられていることを特徴とする。
ここで、外壁から突出する構造物としては、窓などの建具やベランダなどが例示できる。
以上の発明によれば、第１の水切り部の第１の水受け面部により構造物の側方の外壁を流れる水を外壁から離間する方向に導くことができる。また、構造物の下面を左右方向へ水が伝って流れようとするが、その流れを壁部で止めるとともに、第２の水受け面部で外壁から離間する方向に導くことができる。
【０００６】
本発明の水切り部材では、前記第２の水受け面部における前記外壁側の側縁に背壁部が設けられ、前記壁部と背壁部は連続して設けられている構成が好ましい。この発明によれば、構造物の下面を見込み方向へ水が伝って流れようとするが、その流れを背壁部で止めるとともに、第２の水受け面部で外壁から離間する方向に導くことができる。
本発明の水切り部材では、前記構造物は、左右縦枠および上下枠を備える開口枠を有する建具であり、前記第２の水受け面部は、見付け方向の寸法が前記縦枠において最も屋外側に位置する見付け面の見付け寸法以上であり、前記壁部は、上端の見込み寸法が前記下枠の下面の外壁からの突出寸法以上であり、当該壁部の上端が前記開口枠の下面に直接または止水部材を介して当接している構成が好ましい。この発明によれば、開口枠の縦枠の正面を伝って流れる水を水切り部材でより確実に排水することができる。
本発明の水切り部材では、前記第２の水切り部には、前記第２の水受け面部の一部から上方に突出する突出部と、この突出部の突出先端と前記第２の水切り部の下面とを連通する連通孔と、が設けられ、前記連通孔に挿通される固定部材により前記下隅部に取り付けられる構成が好ましい。この発明によれば、入隅部に水切り部材を取り付ける場合であっても、下方から固定部材を挿通させることができ、容易に取り付けることができる。さらに、連通孔の開口を第２の水受け面部よりも高い位置に設けているため、連通孔内への水の浸入を防止でき固定部材の劣化を防止できる。
本発明の建具は、建物の外壁から突出して取り付けられる構造物を備え、前記構造物の下隅部に上述の水切り部材が取り付けられたことを特徴とする。
以上の本発明によれば、上述の水切り部材と同様の作用効果を有する建具を提供できる。
【発明を実施するための最良の形態】
【０００７】
以下、本発明の実施形態を図面に基づいて説明する。
図１は、建具としての窓１を示す正面図である。図２は、窓１における水切り部材２０の取り付け部分の縦断面図である。
図１および図２において、窓１は、建物の外壁２の開口部に固定される構造物としての枠体３と、この枠体３の開口を塞ぐ面材８とを備えて構成されている。枠体３は、屋外側部分が外壁２から屋外側に突出して設けられ、上枠部４、下枠部５および左右の縦枠部６，７を有して構成されている。この枠体３の左右の下隅部９には、外壁２を伝って落ちる雨水などの水を屋外側に導く水切り部材２０が取り付けられている。
【０００８】
次に、図３も参照して、水切り部材２０の詳細な構成について説明する。図３は、水切り部材２０を示す斜視図である。
水切り部材２０は、樹脂や金属などで形成されており、図１〜図３に示すように、枠体３の側方に配置される第１の水切り部２１と、この第１の水切り部２１と一体的に設けられ枠体３の下方に配置される第２の水切り部４１とを備えている。
第１の水切り部２１は、外壁２に当接する位置から屋外側に上方傾斜する背側傾斜部２２と、この背側傾斜部２２の外壁２側端部から略真下に延びる第１の背壁部２３と、背側傾斜部２２の屋外側に位置する第１の水受け面部２４とを備えている。第１の水受け面部２４は、背側傾斜部２２から見込み方向屋外側に向けて下降傾斜する第１の下降傾斜面部２５と、この第１の下降傾斜面部２５から略真下に延びる第１の前平面部２６とを備えている。第１の下降傾斜面部２５は、外壁２側が平面状に形成され、屋外側が円弧面状に形成されている。
また、第１の水切り部２１の第２の水切り部４１と反対側の端部には、上下に延びる略四角板状の第１の側壁部２７が設けられている。この第１の側壁部２７は、第１の水受け面部２４から上方および屋外側に突出する略Ｌ字板状の第１の突出壁部２８と、第１の下降傾斜面部２５の下方に位置する略四角板状の第１の下壁部２９とから構成されている。
第２の水切り部４１は、外壁２に当接する位置から見込み方向屋外側に向けて少なくとも一部が下降傾斜して延びる第２の水受け面部４２を有している。この第２の水受け面部４２は、第１の水受け面部２４よりも下方に位置している。また、図１に示すように、第２の水受け面部４２の左右方向（見付け方向）の寸法は、縦枠部６，７において最も屋外側に位置する屋外側見付け面６Ａ，７Ａの左右方向の寸法以上に設定されている。この第２の水受け面部４２は、外壁２側に位置する略水平面状の水平面部４３と、この水平面部４３から見込み方向屋外側に向けて下降傾斜する第２の下降傾斜面部４４と、この第２の下降傾斜面部４４から略真下に延びる第２の前平面部４５とを備えている。第２の下降傾斜面部４４は、外壁２側が平面状に形成され、屋外側が円弧面状に形成されている。
また、水平面部４３の第１の水切り部２１側かつ屋外側の隅部には、略柱状に突出する突出部４７が設けられている。この突出部４７の突出先端面４８は、略平面状に形成されて第１の水受け面部２４と第２の水受け面部４２との中間付近に位置するように設けられている。そして、第２の水切り部４１には、突出部４７の突出先端面４８と第２の水受け面部４２の下面とを連通する連通孔としてのビス孔４９が設けられている。
【０００９】
さらに、水平面部４３の第１の水切り部２１側端縁には、突出部４７の外壁２側から略真上に延び、突出部４７と等しい高さの背側中間壁部５０が設けられている。さらに、背側中間壁部５０および突出部４７の上縁には、略真上に延びて第１の水受け面部２４に連結する枠体対向面部５１が設けられている。また、第２の下降傾斜面部４４の第１の水切り部２１側端縁には、略真上に延びて第１の水受け面部２４に連結する前側中間壁部５２が設けられている。そして、前側中間壁部５２の垂直面は、背側中間壁部５０の垂直面と略同一面上に位置し、かつ、段差部５３を介して連結された枠体対向面部５１の垂直面よりも第２の水切り部４１側に位置している。つまり、枠体対向面部５１は、後述するシーラ材６０の厚さ寸法よりも若干小さい寸法だけ、前側中間壁部５２および背側中間壁部５０よりも第１の水切り部２１側に凹んだ状態で設けられている。さらに、水平面部４３の外壁２側端縁には、略真上に延びて、その上端面が突出部４７の突出上端面４８および背側中間壁部５０の上端面と同一面上となるように形成された壁部としての第２の背壁部５４が設けられている。
また、第２の水切り部４１の第１の水切り部２１と反対側の端部には、上下に延びる略四角板状の第２の側壁部５５が設けられている。この第２の側壁部５５は、第２の水受け面部４２から上方および屋外側に突出する略Ｌ字板状の壁部としての第２の突出壁部５６と、水平面部４３および第２の下降傾斜面部４４の下方に位置する略四角板状の第２の下壁部５７とから構成されている。そして、第２の突出壁部５６における突出部４７および背側中間壁部５０と略対向する背側部分５８は、その上端面が第２の背壁部５４および背側中間壁部５０の上端面、突出部４７の突出先端面４８と同一面上に位置する形状に形成されている。また、図２に示すように、第２の突出壁部５６の上端の見込み寸法は、下枠部５の枠下面１１の外壁２からの突出寸法以上に設定されている。
【００１０】
次に、図４に基づいて、水切り部材２０の取付方法について説明する。図４は、水切り部材２０の取り付け状態を示す部分断面図である。
まず、図２の破線、図３の２点鎖線、および、図４の実線に示すように、枠体対向面部５１、第１の背壁部２３にシーラ材６０を貼付する。そして、この水切り部材２０を、第１の背壁部２３のシーラ材６０および第２の背壁部５４が外壁２に密着し、枠体対向面部５１のシーラ材６０が枠体３の枠下側面１０に密着し、第２の背壁部５４および背側部分５８の上端面と突出先端面４８とが枠体３の枠下面１１に当接する状態で配置する。この後、固定部材としてのビス６１を下方からビス孔４９に挿通させて枠体３に打つことで水切り部材２０を取り付ける。以上により水切り部材２０の取り付けが完了する。
【００１１】
次に、図５に基づいて、水切り部材２０の作用について説明する。図５は、水切り部材２０上の水の流れを示す模式図である。
図５において矢印Ｙ１，Ｙ２，Ｙ３で示すように、枠体３側方の外壁２を伝って落ちる雨水などは、水切り部材２０の第１の水受け面部２４を流れ、外壁２から離間する方向に導かれた後に略真下に流れ落ちる。
また、矢印Ｙ４，Ｙ５，Ｙ６，Ｙ７に示すように、枠体３の下隅内面１２や縦枠部６の屋外側見付け面６Ａを伝って下隅部９から落ちる水は、第２の水受け面部４２を流れ、外壁２から離間する方向に導かれた後に略真下に流れ落ちる。
このとき、第２の水受け面部４２と枠下面１１との間に隙間が形成されているため、第２の水受け面部４２に落ちた水は、毛細管現象により枠下面１１や外壁２と第２の水受け面部４２との間に溜まることがなく、矢印Ｙ６，Ｙ７で示すように外壁２から離間する方向に導かれた後に略真下に流れ落ちる。また、第２の背壁部５４や第２の突出壁部５６が設けられているため、第２の水受け面部４２に到達した水が外壁２側の端縁や第１の水切り部２１と反対側の端縁から落下することがない。さらに、突出部４７を設けることでビス孔４９の開口を第２の水受け面部４２よりも高い位置に設けているため、ビス孔４９内への水の浸入が防止される。
【００１２】
このような一実施形態によれば、以下のような効果がある。
（１）水切り部材２０の第１の水受け面部２４により、枠体３側方の外壁２を流れる水を外壁２から離間する方向に導くことができる。また、枠体３の枠下面１１を左右方向へ水が伝って流れようとするが、その流れを第２の突出壁部５６で止めるとともに、第２の水受け面部４２で外壁２から離間する方向に導くことができる。さらに、第２の水受け面部４２と枠下面１１とが離れる状態で水切り部材２０を枠体３に取り付けているため毛細管現象の発生を防止でき、第１の水受け面部２４から側方に流れる水や枠体３の下隅部９から落下する水が枠下面１１や外壁２と第２の水受け面部４２との間に溜まることを防止できる。したがって、外壁２への水の到達を抑制可能な水切り部材２０を提供できる。
（２）第２の水受け面部４２における外壁２側の側縁に第２の背壁部５４が設けられ、第２の突出壁部５６と第２の背壁部５４は連続して設けられているため、枠下面１１を見込み方向屋内側へ流れる水を、第２の背壁部５４で止めるとともに、第２の水受け面部４２で外壁２から離間する方向に導くことができる。
（３）第２の水受け面部４２の左右方向（見付け方向）の寸法は、縦枠部６において最も屋外側に位置する屋外側見付け面６Ａの左右方向の寸法以上に設定されているため、枠体３の下隅内面１２や縦枠部６の屋外側見付け面６Ａの正面を伝って下隅部９から落ちる水を、より確実に排水することができる。
（４）第２の水受け面部４２に、突出部４７と、この突出部４７の突出先端面４８と第２の水受け面部４２の下面とを連通するビス孔４９と、を設けているため、入隅部に設けられた窓等に水切り部材２０を取り付ける場合であっても、下方からビス６１を挿通させることで容易に取り付けることができる。さらに、ビス孔４９の開口を第２の水受け面部４２よりも高い位置に設けているため、ビス孔４９内への水の浸入を防止できビス６１の劣化を防止できる。
【００１３】
なお、本発明は、前記一実施形態に限定されるものではなく、本発明の目的を達成できる他の構成等を含み、以下に示すような変形等も本発明に含まれる。
例えば、水切り部材２０の横からビス６１を挿通させて水切り部材２０を枠体３に取り付けてもよいし、水切り部材２０の屋外側からビス６１を挿通させて水切り部材２０を外壁２や枠体３に取り付けてもよい。さらには、水切り部材２０を接着で外壁２や枠体３に取り付けてもよい。
そして、水平面部４３に突出部４７を設けずに水平面部４３の上面および下面を連通するビス孔を設け、このビス孔にビス６１を挿通させて水切り部材２０を取り付けてもよい。
また、第２の背壁部５４を設けなくてもよい。さらに、第２の突出壁部５６および第２の背壁部５４を突出部４７よりも高くして、突出先端面４８と枠下面１１との間に隙間を設けることで両者間に止水部材を配置できるようにしてもよい。または、第２の突出壁部５６および第２の背壁部５４を突出部４７よりも低くして、突出先端面４８と枠下面１１とを当接させることで第２の水受け面部４２と枠下面１１とが離れるように水切り部材２０を位置決めしてもよい。
そして、上記実施形態の水切り部材２０の突出部４７の代わりに、図６に示すような内部にビス孔４９を有する円筒状の突出部７１を設けた水切り部材７０としてもよい。
また、今までの実施例では、第二の側壁部５５の背側部分５８が直接下枠５に当接する形態であったが、止水部材を介して背側部分５８を下枠５に当接させてもよい。この場合、水切り部材２０が取り付けられた状態において、背側部分５８と枠下面１１との間に隙間を設けておき、この隙間に止水部材を塗布または挿入してもよい。または、予め背側部分５８に止水部材を設けておいて、その状態で水切り部材２０を取り付けてもよい。
【００１４】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００１５】
【図１】本発明の実施形態に係る窓を示す正面図である。
【図２】前記窓における水切り部材の取り付け部分の縦断面図である。
【図３】前記水切り部材を示す斜視図である。
【図４】前記水切り部材の取り付け状態を示す部分断面図である。
【図５】前記水切り部材上の水の流れを示す模式図である。
【図６】本発明の変形例に係る水切り部材を示す斜視図である。
【符号の説明】
【００１６】
１…窓（建具）、２…外壁、３…枠体（構造物）、２０，７０…水切り部材、２１…第１の水切り部、２４…第１の水受け面部、４１…第２の水切り部、４２…第２の水受け面部、４７，７１…突出部、４９…ビス孔（連通孔）、５４…第２の背壁部（壁部）、５６…第２の突出壁部（壁部）、６１…ビス（固定部材）。
【図１】
2010007409.tif 000003
【図２】
2010007409.tif 000004
【図３】
2010007409.tif 000005
【図４】
2010007409.tif 000006
【図５】
2010007409.tif 000007
【図６】
2010007409.tif 000008